(57)【要約】【課題】環境保護ポリマーの製造方法の提供。【解決手段】液状の可塑剤と液状の安定剤を混合後、乳化粉、フィラー、紫外線吸収剤及び防火剤の混合物と混合し、常温下で攪拌し、ペースト状製品を形成し、該ペースト状製品を炉で摂氏約１７０度の加工温度でベークし、固体の環境保護ポリマーを製造する。この環境保護ポリマーは、ＰＣＶと同等の止滑、防水効果を具えるが燃焼或いは日光照射下で人体に有害な気体を発生しない。本発明による環境保護ポリマーは、環境保護効果を有し、従来ＰＣＶにより製造されたＰＣＶの特性を利用する必要のある各種製品に運用できる。【選択図】        なし【特許請求の範囲】
【請求項１】
液状の可塑剤と液状の安定剤を混合してなる混合物に、乳化粉、フィラー、紫外線吸収剤及び防火剤の混合物を混合し、常温下で攪拌し、ペースト状製品を形成し、該ペースト状製品を炉で摂氏約１７０度の加工温度でベークし、ＰＶＣと同等の止滑、防水機能を具えて燃焼或いは日照下で人体に有害な気体を発生しない固体の環境保護ポリマーを製造することを特徴とする、環境保護ポリマーの製造方法。
【請求項２】
請求項１記載の環境保護ポリマーの製造方法において、該環境保護ポリマーがＰＶＣで製造されてＰＶＣの特性を利用する必要のあった製品にＰＶＣの代わりに使用されて、該製品が日照下で使用されるか或いは不注意から着火されるか或いは燃焼される時に、人体に有害な気体を発生しないことを特徴とする、環境保護ポリマーの製造方法。
【請求項３】
請求項２記載の環境保護ポリマーの製造方法において、前記製品が、ビーチパラソルの傘面、ビーチチェアのシート面或いは背もたれ面、止滑ネット、止滑マット、運動用マット、財布材料、靴材料、ブラインド材料、壁紙、買物袋のいずれかとされたことを特徴とする、環境保護ポリマーの製造方法。
【発明の詳細な説明】
【０００１】
【発明の属する技術分野】
本発明は一種の高い環境保護効果を具え、ＰＣＶと同等の機能を具え、ＰＣＶに代わりＰＣＶの特性を利用する必要のあった各種製品に応用されうる環境保護ポリマーの製造方法に関する。
【０００２】
【従来の技術】
各種の応用材料は以下の三つの条件を満たす時、環境保護材料として認定される。
１．使用後に廃棄されて分解可能で、大地に溶入して無毒である。例えば紙がこの条件を満たす。
２．使用後に回収、再生して使用できる。例えばＰＥ、ＰＰがこの条件を満たす。
３．使用後に燃焼により分解し、且つ毒性ガスを発生せず、灰が大地に溶入する。
【０００３】
広く応用されているが、上述の三つの条件に符合しないＰＶＣはそれ自身は無毒性プラスチックに属するが、各種用品に加工するため、例えばジオクチルフタレート（ＤＯＰ）或いはジイソノニルフタレート（ＤＩＮＰ）等の可塑剤が添加され、ＤＯＰ或いはＤＩＮＰは、ＰＶＣと結合されると、燃焼や日光の照射等の多くの異なる原因により人々を恐怖に陥れるダイオキシンを発生する。さらに、ＰＶＣにＤＯＰ或いはＤＩＮＰ等の可塑剤を添加し並びに加工成形した後は、極めて分解しにくくなり、焼却するしかないが、摂氏１２００度の高温下でなければ分解しにくく、このためダイオキシンを含む毒素、有毒煤煙、有毒灰等のダイオイキシンを発生するのを防止できず、その人に対する影響は非常に大きく、深遠な毒害を及ぼす。
【０００４】
ＰＶＣは防水、防湿、止滑等の効果を有し、製品によってはＰＶＣを使用しなければ製造できない。例えば市販されているビーチパラソルやビーチチェアは、その傘面、シート面或いは背もたれ面にＰＶＣが使用され、ゆえに遮光、防水、防湿、止滑等の効果を有する。しかし直射日光を受けることにより、ＰＶＣ材質の傘面、シート面、或いは背もたれ面が高温により人体に有害な気体を発生する。またＰＶＣで製造された止滑ネット、運動用マット、財布材料、靴材料、ブラインド材料、壁紙、買物袋等各種日常用品の、人体への影響ははなりしれない。
【０００５】
例えば、現在市販されている柔軟性を有する止滑マットは、その全体がＰＶＣで製造され、止滑性を有するが、それ自身は臭く、燃焼或いは日光照射時に、人体に有害な気体を発生し、使用に不適合である。しかし人々の止滑マットに対する要求は一般的である。
【０００６】
【発明が解決しようとする課題】
本発明は、ＰＶＣと同等の機能を有するが、人体に有害な気体を発生せず、且つ上述の三つの条件に符合する環境保護ポリマーの製造方法を提供し、それを伝統的なＰＶＣの代わりに各種製品の製造に用いることができるようにする。
【０００７】
本発明の主要な目的は、ＰＶＣの効果を有するが人体に有害な気体を発生せず、ゆえに可塑剤を含み有毒なＰＶＣの代わりに使用されて高い環境保護効果を有する各種の製品に製造されうる環境保護ポリマーの製造方法を提供することにある。
【０００８】
本発明の次の目的は、環境保護ポリマーの製造方法を提供し、それにより、ビーチパラソルの傘面、ビーチチェアのシート或いは背もたれ、止滑ネット、止滑マット、運動用マット、財布材料、靴材料、ブラインド材料、壁紙、買物袋等の高い環境保護効果を有する製品を製造できるようにすることにある。
【０００９】
【課題を解決するための手段】
請求項１の発明は、液状の可塑剤と液状の安定剤を混合してなる混合物に、乳化粉、フィラー、紫外線吸収剤及び防火剤の混合物を混合し、常温下で攪拌し、ペースト状製品を形成し、該ペースト状製品を炉で摂氏約１７０度の加工温度でベークし、ＰＶＣと同等の止滑、防水機能を具えて燃焼或いは日照下で人体に有害な気体を発生しない固体の環境保護ポリマーを製造することを特徴とする、環境保護ポリマーの製造方法としている。
請求項２の発明は、請求項１記載の環境保護ポリマーの製造方法において、該環境保護ポリマーがＰＶＣで製造されてＰＶＣの特性を利用する必要のあった製品にＰＶＣの代わりに使用されて、該製品が日照下で使用されるか或いは不注意から着火されるか或いは燃焼される時に、人体に有害な気体を発生しないことを特徴とする、環境保護ポリマーの製造方法としている。
請求項３の発明は、請求項２記載の環境保護ポリマーの製造方法において、前記製品が、ビーチパラソルの傘面、ビーチチェアのシート面或いは背もたれ面、止滑ネット、止滑マット、運動用マット、財布材料、靴材料、ブラインド材料、壁紙、買物袋のいずれかとされたことを特徴とする、環境保護ポリマーの製造方法としている。
【００１０】
【発明の実施の形態】
本発明は一種の環境保護ポリマーの製造方法を提供し、それは、液状の可塑剤（ＡＣＥＴＩＣ  ＴＲＩ  ＢＵＴＹＬ  ＣＩＴＲＩＴＥ）と安定剤（ＳＴＡＢＩＬＩＺＥＲ）を混合して第１の混合物を形成し、さらに乳化粉（ＰＯＬＹ  ＶＩＮＹＬ  ＣＨＬＯＲＩＤＥ）、フィラー、紫外線吸収剤（ＬＩＧＨＥ  ＳＴＡＢＩＬＩＺＥＲ  ＵＶＡＳＯＲＢ）及び難燃剤を混合して第２の混合物を形成し、並びに第１の混合物と第２の混合物を相互に混合した後、常温下で攪拌し、ペースト状製品を形成する。
【００１１】
該ペースト状製品を炉中で摂氏約１７０度の加工温度でベークし、固体の環境保護ポリマー（Ｐｏｌｙｍｅｒ  Ｅｎｖｉｒｏｎｍｅｎｔｌｌｙ−ｆｒｉｎｄｌｙ  Ｒｅｓｉｎ；ＰＥＲ）を製造する。
【００１２】
この環境保護ポリマーは、ＰＣＶと同等の止滑、防水、防湿、遮光等の効果を具えるが燃焼或いは日光照射下で人体に有害な気体を発生しない。且つ環境保護ポリマー自身もまた無毒である。これにより、該環境保護ポリマーを融合後に加工可能な材料に形成できるほか、摂氏１２００度の高温で燃焼させた後に、分解して二酸化炭素、水及び少量の塩素を発生し、その発生する塩素は人々が日常生活中で飲用する水道水に含まれるものより少ない。ゆえに本発明による環境保護ポリマーはこれまでＰＶＣにより製造されていたＰＶＣ機能を利用する必要のある各種製品の製造に使用され得て、これらの各種製品が日照下で使用されたり、或いは着火したり、或いは燃焼する時、人体に有害な気体を発生しない環境保護効果を有し、環境保護条件の第３の条件に符合する。
【００１３】
【発明の効果】
本発明により製造された環境保護ポリマーは、人体に有害な気体を発生せず、これまでＰＶＣにより製造されていたＰＶＣ機能を利用する必要のある各種製品、例えば、ビーチパラソルの傘面、ビーチチェアのシート或いは背もたれ、止滑ネット、止滑マット、運動用マット、財布材料、靴材料、ブラインド材料、壁紙、買物袋等に使用され、これらの各種製品が日照下で使用されたり、或いは着火したり、或いは燃焼する時、人体に有害な気体を発生しない環境保護効果を有し、且つＰＶＣが有していた、止滑、防水、防湿或いは遮光の機能も具備する。
総合すると、本発明の提供する環境保護ポリマーの製造方法は、高い環境保護効果を有し、有毒物質或いは気体を発生せず且つＰＶＣの止滑、防水、防湿或いは遮光の機能と同等の機能を有し、ＰＶＣに代わり、従来よりＰＶＣで製造されてＰＶＣ機能を利用する必要のある各種製品に使用可能であり、新規性、進歩性及び産業上の利用価値を有し、特許の要件に符合する。
【００１４】
なお、以上の説明は本発明の実施範囲を限定するものではなく、本発明に基づきなしうる細部の修飾或いは改変は、いずれも本発明の請求範囲に属するものとする。